(57)【要約】【課題】従来の衣装貸出／販売システムは自社または自社の関連会社からの衣装を集結して、それを集結して貸出し、または販売を行なっていたが数に限りがあり、顧客として満足できる衣装をレンタルまたは購入できなかった。【解決手段】衣装を小売店、問屋、顧客からも集めてＷＥＢを介して貸出／販売を行うので多くの衣装に出会うことが出来、また衣装は単品だけでなく複数の単品からなるセットとして扱う際に、数に限りある場合には単品希望者には所定時間待ってのち、セット希望者がいなければ貸出／販売を行なう。【選択図】    図１
2010267123.tif 000002
【特許請求の範囲】
【請求項１】
衣装貸出／販売ネットワークシステムで、小売店端末と、顧客端末と、取次店端末と、これらを統括する本部端末とから構成され、前記本部端末は、本部自身及び小売店及び顧客等から預かった衣装に関する情報を公開するＷＥＢを備え、前記顧客端末が所望の衣装を指定したとき、前記本部端末は前記取次店端末と前記顧客端末に対して前記指定された衣装を前記取次店を介して前記顧客に貸出／販売を行なうよう通知する手段とを備えた衣装貸出／販売ネットワークシステム。
【請求項２】
前記本部端末は、さらに前記衣装を製造するメーカー、前記衣装を取扱う問屋等の在庫情報を前記ＷＥＢで公開する請求項１に記載の衣装貸出／販売ネットワークシステム。
【請求項３】
前記衣装は和服、帯、帯締め等の組み合わせからなる衣装セットである請求項１に記載の衣装貸出／販売ネットワークシステム。
【請求項４】
前記衣装は和服、帯、帯締め等の衣装単品である請求項１に記載の衣装貸出／販売ネットワークシステム。
【請求項５】
前記本部端末が前記顧客端末より前記衣装単品が注文されたことを確認した場合、前記注文された単品の在庫数が所定数より多いと判断したときに、前記衣装単品が貸出／販売を許容する請求項１に記載の衣装貸出／販売ネットワークシステム。
【請求項６】
前記本部端末が、前記顧客端末より前記衣装単品が注文されたことを確認した場合、前記注文された単品の在庫数が所定数より少ないと判断したときから所定時間内に、前記衣装セットの注文がないことを判断したときに、前記衣装単品が貸出／販売を許容する請求項１に記載の衣装貸出／販売ネットワークシステム。
【請求項７】
前記所定数の数は前記衣装単品によってそれぞれ定められている数である請求項５、６に記載の衣装貸出／販売ネットワークシステム。
【請求項８】
前記衣装単品はそれ自体複数の衣装単品と群を構成している請求項１に記載の衣装貸出／販売ネットワークシステム。
【請求項９】
前記顧客端末より前記衣装セットが注文されたとき、前記顧客端末よりそのセットの少なくとも１つの衣装単品を不適であると判断したとき、前記群の中から別の衣装単品を提示する請求項１に記載の衣装貸出／販売ネットワークシステム。
【発明の詳細な説明】
【技術分野】
【０００１】
本発明は、衣装を問屋、小売店等から集めて、顧客の求めに応じてＷＥＢを貸出／販売する衣装貸出／販売ネットワークシステムに関する。
【背景技術】
【０００２】
従来、ウエディングドレスなどの式服、晴れ着など衣装は着る機会に比べて高価であり、購入する顧客にとって負担が大きかった。そこで結婚式や卒業式などどうしても着る必要があるときは貸衣装屋で借りることもあった。しかしながら、顧客はサイズが合わないとレンタルも購入もしない。色、配色等で好みが多種多様であるので顧客からみれば選択の際に種類が少なければ、好みのものがないという結果に終わる場合が多々あった。また、購入するとか、または借りる場合でも、数多くの衣装の中から選択したいというのが購入者の本当の気持ちである。
【０００３】
そこで、特許文献１では美術品を複数の売手業者が所有する在庫作品を集め、登録在庫データとして共有し、いつでも迅速に美術品の売買情報を入手することができるので販売機会が増大し、美術品の流通促進を図ることが出来た例を示している。
【先行技術文献】
【特許文献】
【０００４】
【特許文献１】特開２００２−９９７３７号公報
【発明の概要】
【発明が解決しようとする課題】
【０００５】
しかしながら、特許文献１では複数の売手業者だけの在庫作品を登録在庫データとしているが、買手業者も在庫作品を持っている可能性もあり、売手業者になりうることについて何も言及されていない。したがって選択に際して量的に不足をきたすことも生じる。
【０００６】
また、特許文献１は美術品であり、本発明のように衣装の中、和服の場合は着物も、帯もあり、他にもいろいろな単品の組み合わせで取扱われるものであり、その点において美術品とは異なる点である。また、和服等衣装の場合は美術品と違い、寸法が所望の寸法と異なれば色、配色等で気に入って衣装を手に入れても無駄になることになる。べストの好みでなくても、例えば好みからいえば色、配色等が二番目、三番目の場合でもサイズが合えばそれをレンタルしたり購入したくなるのが当然であり、選択できる数は多い方が好都合であることはいうまでもない。
【０００７】
本発明は、このような従来の構成が有していた課題を解決しようとするものであり、幅広く数多くの衣装を集めてＷＥＢで公開して数多くの顧客に対して衣装の貸出／販売を行ない、さらに商品の組み合わせによるセット貸出／販売、単品貸出／販売を可能とすることを目的とするものである。
【課題を解決するための手段】
【０００８】
本発明の請求項１は、衣装貸出／販売ネットワークシステムで、小売店端末と、顧客端末と、取次店端末と、これらを統括する本部端末とから構成され、前記本部端末は、本部自身及び小売店及び顧客等から預かった衣装に関する情報を公開するＷＥＢを備え、前記顧客端末が所望の衣装を指定したとき、前記本部端末は前記取次店端末と前記顧客端末に対して前記指定された衣装を前記取次店を介して前記顧客に貸出／販売を行なうよう通知する手段とを備えた衣装貸出／販売ネットワークシステムを提供することにあり、小売店や取次店を統括する本部が集めた衣装に関する情報をＷＥＢを通して公開し、顧客はそのＷＥＢをみてレンタル／購入を行なう衣装／販売ネットワークシステムを提供する。
【０００９】
請求項２は、前記本部端末は、さらに前記衣装を製造するメーカー、前記衣装を取扱う問屋等の在庫情報を前記ＷＥＢで公開する請求項１に記載の衣装貸出／販売ネットワークシステムを提供することにあり、衣装を製造するメーカー、問屋の在庫情報をＷＥＢで公開しさらに関連する、できる限り多くの情報を持つので顧客の選択の幅をさらに広げる。
【００１０】
請求項３は、前記衣装は和服、帯、帯締め等の組み合わせからなる衣装セットである請求項１に記載の衣装貸出／販売ネットワークシステムを提供することにあり、請求項４は、前記衣装は和服、帯、帯締め等の衣装単品である請求項１に記載の衣装貸出／販売ネットワークシステムを提供することにあり、衣装としてセットでも単品でも取扱うことを示している。
【００１１】
請求項５は前記本部端末が前記顧客端末より前記衣装単品が注文されたことを確認した場合、前記注文された単品の在庫数が所定数より多いと判断したときに、前記衣装単品が貸出／販売を許容する請求項１に記載の衣装貸出／販売ネットワークシステムを提供し、
請求項６は、前記本部端末が、前記顧客端末より前記衣装単品が注文されたことを確認した場合、前記注文された単品の在庫数が所定数より少ないと判断したときから所定時間内に、前記衣装セットの注文がないことを判断したときに、前記衣装単品が貸出／販売を許容する請求項１に記載の衣装貸出／販売ネットワークシステムを提供することにある。
すなわち、単品衣装の注文があったときに、貸出／販売した衣装セットの中の単品衣装の数が不足したときに貸出／販売が不可能になるのでそれを避けるための対策である。
【００１２】
請求項７は、前記所定数の数は前記衣装単品によってそれぞれ定められている数である請求項５、６に記載の衣装貸出／販売ネットワークシステムを提供することにあり、衣装セットの各単品によって製造の困難度、量産性も異なるので足りなくなっても補充が容易にできるものなどを考慮した内容である。
【００１３】
請求項８は、前記衣装単品はそれ自体複数の衣装単品と群を構成している請求項１に記載の衣装貸出／販売ネットワークシステムを提供し、請求項９は、前記顧客端末より前記衣装セットが注文されたとき、前記顧客端末よりそのセットの少なくとも１つの衣装単品を不適であると判断したとき、前記群の中から別の衣装単品を提示する請求項１に記載の衣装貸出／販売ネットワークシステムを提供することにあり、顧客からみてセットの中で望ましくないものがあると、その交換にそのグループとなる群を紹介し、顧客に選び易くする。
【発明の効果】
【００１４】
上述したように、本発明の衣装貸出／販売ネットワークシステムは、複数の取次店の顧客から貸出／販売用衣装の提供を受け、それをネットワークを介して公開し、提供を受けたい者に対して前記取次店を介して貸出／販売を行なうので、選択可能な衣装の点数も多くなる。
【００１５】
また、衣装にはセットで貸出／販売を行なうものと単品で行うものがあり、
セットで取扱う場合はセットを構成している１品でも不足するとセットが成り立
たなくなる。従って単品の注文があったときは、在庫数が少ないときは所定時間、
例えば一日、セットの注文がないかどうかを見極めて、貸出／販売を行なう。
【００１６】
衣装単品によっては入手の時間を要するもの、そうでないものもあり、前述の
所定時間を待って貸出／販売を行なう、その所定時間をそれぞれの衣装単品であ
らかじめ決めた時間で行なう。
【００１７】
さらに、セットのなかで顧客からの好みに合わない、例えば色のバランスが趣
味と合わないとか、サイズが合わない品があると次の候補群を提示するように赤
色でもいろいろな赤があり、そのもととなる色を群として提示できるように群に
構成しているので、選択するのに好都合である。
【図面の簡単な説明】
【００１８】
【図１】本発明の衣装貸出／販売ネットワークシステムの概念図
【図２】本発明の衣装貸出／販売ネットワークシステムの対象物を示す図
【図３】本発明の衣装貸出／販売ネットワークシステムの顧客決定ブロック図
【図４】本発明の衣装貸出／販売ネットワークシステムの表示器の画面に用いるタッチスイッチの配置図
【図５】図４のタッチスイッチの役目を示す図
【図６】本発明の衣装貸出／販売ネットワークシステムのセット選択フローチャート
【図７】表示器の表示画面の遷移
【図８】表示器の表示画面の遷移
【図９】表示器の表示画面の遷移
【図１０】表示器の表示画面の遷移
【図１１】表示器の表示画面の遷移
【図１２】表示器の表示画面の遷移
【図１３】表示器の表示画面の遷移
【図１４】本発明の衣装貸出／販売ネットワークシステムのセット／単品の貸出／販売顧客決定プロセスを示すブロック図
【図１５】本発明の衣装貸出／販売ネットワークシステムのセット／単品の貸出／販売顧客決定プロセスを示すフローチャート
【発明を実施するための形態】
【００１９】
図１において本発明の衣装貸出／販売システムの概念図を説明する。
【００２０】
１は衣装預かり事業ブロックを、２は衣装貸出／販売事業ブロックを示し、衣装預かり事業ブロック１では、Ｃ１は顧客端末、Ｒ１は小売店端末、Ｒ２は提携小売店端末、Ｍはメーカー端末、Ｗは問屋端末を示し、ＣＣは本部端末を示し、本部端末ＣＣに、小売店端末Ｒ１を通して小売店の本部に預かってもらう衣装に関する情報と顧客端末より顧客の本部に預かってもらう衣装に関する情報が本部端末ＣＣに集結し、メーカー端末Ｍを介してメーカーの在庫等の情報が、問屋端末Ｗを介して問屋の在庫等の各情報が本部端末ＣＣに集結するように構成されている。
【００２１】
２は衣装貸出／販売事業ブロックを示し、Ｃ２は顧客端末、Ｒ３は取次店端末を示し、ＷＥＢを介して貸出される衣装とその取次店が表示され、顧客は所望の衣装を顧客端末Ｃ２よりＷＥＢに注文し、本部端末ＣＣは所望の衣装を取次店端末Ｒ３を介して顧客端末Ｃ２に対して顧客に貸出／販売するよう通知する。ＷＥＢにはＤＩＳで示される表示器と接続しており、各端末は表示器ＤＩＳをみてアクセスする。
【００２２】
図１では衣装預かり事業ブロック１と衣装貸出／販売事業ブロック２を分けて図示したが、衣装貸出／販売事業ブロック２の顧客Ｃ２が衣装預かり事業ブロック１の顧客にもなる。従ってできるだけ多くの衣装を集めることが可能となる。
【００２３】
図２は本発明の衣装貸出／販売ネットワークシステムの貸出／販売する商品のセットを示し、ここでは衣装の中の着物について述べる。
【００２４】
Ｋ１〜Ｋｍは着物がｍ着、ＯＢ１〜ＯＢｎは帯ｎ枚、ＯＪ１〜ＯＪoは帯締めo個、ＯＡ１〜ＯＡｐは帯揚げｐ個、ＨＥ１〜ＨＥｑは半衿ｑ枚、ＴＢ１〜ＴＢｒは草履とかばんのセットｒ個の在庫があることを示している。
【００２５】
図３は本発明の衣装貸出／販売ネットワークシステムに用いる画面のブロック図を示す。
【００２６】
ＣＯＮは制御装置で、ＳＷ１〜ＳＷ１６は表示器ＤＩＳに設けられたタッチスイッチを示す。タッチスイッチを操作することにより、制御装置ＣＯＮにより、衣装複数点表示ＢＬ１、衣装１点表示ＢＬ２、衣装単品点滅表示ＢＬ３、衣装単品置換完了表示ＢＬ３を行なう。
【００２７】
図４は、本発明の衣装貸出／販売ネットワークシステムに用いる表示器のタッチスイッチの配置図を示し、図５は各タッチスイッチの役目を示す図である。ここでは衣装の中で「着物」を扱う。
【００２８】
ＳＷ１は「ＥＮＴＥＲ」にタッチするとオンするスイッチ、ＳＷ２は「次へ」にタッチするとオンするスイッチ、ＳＷ３は「OK」にタッチするとオンするスイッチ、ＳＷ４は「ＮＧ」にタッチするとオンするスイッチ、ＳＷ５は画面の左側の「着物Ｌ」にタッチするとオンするスイッチ、ＳＷ６は画面の中央の「着物Ｃ」にタッチするとオンするスイッチ、ＳＷ７は画面右側の「着物Ｒ」にタッチするとオンするスイッチで、タッチスイッチオンにより選択された「着物」は中央に移動する（もともと中央にあった「着物」はそのまま）。ＳＷ８は選択した「着物」の「帯」にタッチするとオンし、「帯」を点滅させ、複数の「帯」が表示されるスイッチ、ＳＷ９は同じく選択した「着物」の「帯締め」にタッチするとオンし、「帯締め」を点滅させ、複数の「帯締め」が表示されるスイッチ、ＳＷ１０は同じく選択した「着物」の「帯揚げ」にタッチするとオンし、「帯揚げ」を点滅させ、複数の「帯揚げ」が表示されるスイッチ、ＳＷ１１は同じく選択した「着物」の「半衿」にタッチするとオンし、「半衿」を点滅させ、複数の「半衿」が表示されるスイッチ、ＳＷ１２は同じく選択した「着物」の「鞄／草履」にタッチするとオンし、「鞄／草履」を点滅させ、複数の「鞄／草履」が表示されるスイッチを示す。ＳＷ１３〜ＳＷ１６はあらかじめ設定された「帯」、「帯止め」、「帯揚げ」、「半衿」、「鞄／草履」を好まないとして、既に載せている画像に対して置換するために配されたそれぞれの４つの候補から選択するスイッチである。
【００２９】
図６は、以上に述べた本発明の衣装貸出／販売ネットワークシステムのセット選択フローチャートを示す。
【００３０】
まず、Ｓ１で衣装のセット、ここでは着物セットを指定する。次にＳ２でそのセットの中で単品として顧客が全てを好むかどうかを判断し、好まないものがないとすれば、Ｓ３で選択終了とする。もし好まないもの単品（ここではＮＧ単品）があるとすれば、Ｓ４で指定する。Ｓ５で指定した単品の次の候補群が表示される。Ｓ６でもしもその単品を好むものがあるかどうかを判定し、あれば、Ｓ７に進み、単品の全てが好むものかどうかを判定し、全て好むものと判断すればＳ８で示すように選択終了となる。Ｓ９で好まない単品があり、好む単品候補がある限りもとに戻り、Ｓ１０で単品候補をみて好むものがなくなれば選択を断念する。
【００３１】
図７〜図１３は各段階における操作画面の遷移を示す。  
図７はまず、本発明の衣装貸出／販売ネットワークシステムの仮称「着物ＢＡＮＫ」のトップページを示す。
【００３２】
画面の「ＥＮＴＥＲ」をクリックと、すなわち、図３のタッチスイッチＳＷ１をオンすると、図８のように複数の着物セットが表示される。すなわち、図２で示すようにそれぞれの着物セットは、「着物」、「帯」、「帯締め」、「帯揚げ」、「半衿」、「鞄／草履」の組み合わせからなっている。
【００３３】
図８で好みの「着物」が現れるまで、「次へ」をクリックする。すなわち、図３で示すタッチスイッチＳＷ２をオンすると、再び、複数点の着物セットが表示される。ここで気に入った着物セットが見つかると、その着物セットの画面をクリックする、すなわちここでは画面の左の「着物Ｌ」を好みだとするとタッチスイッチＳＷ５をオンすると図９のように表示される。
【００３４】
図９の状態でよければ「ＯＫ」をクリック、すなわち、タッチスイッチＳＷ３をオンする。また、よく考えて図８の状態でよくなければ、「ＮＧ」をクリック、すなわち、タッチスイッチＳＷ４をオンすると図８の状態に戻る。
【００３５】
図９は、『もし、よろしければ「ＯＫ」を、もしも「帯」「帯締め」「帯揚げ」「半衿」「鞄／草履」の内、変更したいものをクリックして下さい。』とあり、好みでない単品があればその単品をクリックする。すなわち、タッチスイッチＳＷ８、ＳＷ９、ＳＷ１０、ＳＷ１１、ＳＷ１２の内、該当するタッチスイッチをオンする。
【００３６】
「帯」と「帯締め」を図９のものから他の「帯」と「帯締め」に変更したいと図１０の「帯」と「帯締め」をクリックする、すなわちＳＷ８とＳＷ９をオンすると、図１１で「帯」と「帯締め」が点滅し、右側に「帯」と「帯締め」の対が４点表示される。
【００３７】
もしも、４点の「帯」と「帯締め」の中で好みの「帯」と「帯締め」がなければ、「次へ」をクリックする、すなわちタッチスイッチＳＷ２をオンすると、また「帯」と「帯締め」の対の４点表示される。「次へ」をクリックする毎に４点の「帯」と「帯締め」の対が表示される。
【００３８】
ここで４つの「帯」と「帯締め」の内、上から二番目の「帯」と「帯締め」がよいと判断したときに、その「帯」と「帯締め」をクリックする、すなわち、タッチスイッチＳＷ１４をオンし、画面上で「着物」の「帯」のまでドラッグすると「帯」と「帯締め」が置換された図面が図１２である。
【００３９】
ここまで「帯」と「帯締め」の対について述べたが、「帯」、「帯締め」のそれぞれ単品でもよい。
【００４０】
また、「帯」「帯締め」以外に例えば「帯揚げ」を変更したいときは、図１０で「帯揚げ」をクリックすると、図１３で示すように「帯揚げ」が点滅表示し、右側に４点の「帯揚げ」が表示され、好みの「帯揚げ」が出現するまで「次へ」をクリックする。
【００４１】
そこで好みの「帯揚げ」が出現すると、「帯」と「帯締め」の場合と同じように好みの「帯揚げ」を表示された「着物」のところまでドラッグして置換する。
【００４２】
図１４は、本発明の衣装貸出／販売ネットワークシステムのセット／単品の貸出／販売顧客決定プロセスを示すブロック図であり、衣装セットを選択するセットモードと単品衣装を選択する単品選択モードの選択を示すブロック図であり、制御装置ＣＯＮにいずれかのモードを設定したことを入力し、そのモードによって貸出／販売を決定する制御回路ＣＯＮのアルゴリズムが異なり、図１５で示すフローチャートで説明する。
【００４３】
図１５は、本発明の衣装貸出／販売ネットワークシステムのセット／単品の貸出／販売顧客決定プロセスを示すフローチャートである。
【００４４】
Ｓ２１で、本部で小売店、顧客、メーカー、問屋等から貸出用／販売用の衣装情報を集結し、Ｓ２２で各衣装と取扱店をＷＥＢで公開し、表示器ＤＩＳで表示する。
Ｓ２３で、顧客が衣装セット希望者であるかどうかを判定する。Ｓ２４でセット希望者の場合には在庫があれば、そのまま貸出／販売を行なう。Ｓ２３でセット希望者でないと判定した場合はＳ２５で単品希望者と判定し、Ｓ２６で単品希望者の欲する単品の在庫数を調べ、Ｘ個よりも多いと判定した場合は、Ｓ２７で示すように単品の貸出／販売を行なう。このＸ個は単品それぞれによって異なる。例えば製造までの時間がかかるような着物や帯の場合と、どこか他の店からも手に入りそうなものの場合とでは異なる。Ｓ２８で在庫数がＸ個以下であるときは、所定時間内（所定日数を含む）にセットの希望者がいないかどうかを判別し、セットの希望者がないとすれば、Ｓ２９で示すように単品の貸出／販売を許可する。Ｓ２８で、所定時間内にセットの希望者がいれば、Ｓ３０で示すようにセット希望者を優先して貸出／販売を許可する。
【００４５】
この効果は、貸出／販売事業ブロックにとってはできるだけ多くの品を流通させることが利益につながる。もしも単品が売れすぎるとセット品を構成する品の数がばらつき、セットを組みにくくなる。衣装は流行に敏感であり、セットとして貸出／販売する数が多くなければ、単品の品が残り、流行から外れたものになりかねなくなる。
【００４６】
また、これまで衣装として着物について述べたが、ウエディングドレス、パーティドレス等についても同じようにドレスそのもの、ネックレス、ティアラ、ショール、リボン、コサージュ、小物などをセットとして扱う場合も、単品として扱う場合もあり、着物で述べた考え方で扱うことができる。
【００４７】
さらに、セットして扱う場合に、まず価格、客対象（たとえば成人前向け、大学卒業時向け、３０歳、４０歳等年齢別）等に分類してセットを作れば客も選択が容易になる。さらに、セット単独ではなくて例えば価格について考えれば、５０万円セットを複数あるような群を作れば顧客も購入する際に選択が容易にできる。これは色についても同じであるが、同じ系統の色の製品を比較して見れるように群として取扱った方が顧客が選択する際に都合がよい。
【符号の説明】
【００４８】
１           預かり事業ブロック
２           貸出／販売事業ブロック
ＣＣ           本部端末
Ｒ１、Ｒ２     小売店端末
Ｒ２           提携小売店端末
Ｒ３           取次店端末
Ｃ１、Ｃ２     顧客端末
ＣＯＮ         制御装置
【図１】
2010267123.tif 000003
【図２】
2010267123.tif 000004
【図３】
2010267123.tif 000005
【図４】
2010267123.tif 000006
【図５】
2010267123.tif 000007
【図６】
2010267123.tif 000008
【図７】
2010267123.tif 000009
【図８】
2010267123.tif 000010
【図９】
2010267123.tif 000011
【図１０】
2010267123.tif 000012
【図１１】
2010267123.tif 000013
【図１２】
2010267123.tif 000014
【図１３】
2010267123.tif 000015
【図１４】
2010267123.tif 000016
【図１５】
2010267123.tif 000017